(57)【要約】【課題】  バランストレーナーの実体環境に合わせた種々な動きの態様を擬似体感し、なお一層のトレーニング効果をあげる。【解決手段】  使用者が乗る搭乗面と床面に対面した裏面にストッパを設けたガイド溝を有する板状のトレーナー本体と、裏面と床面との間に配設されてトレーナー本体を床面に対してヨーイング、ピッチング、ローリングの３Ｄの揺動可能に支持するロールバーを備え、使用者が重心位置を変えて、バランストレーナーの様々な動きの態様を多くすることができる。【選択図】  図４
2006326240.tif 000002
【特許請求の範囲】
【請求項１】
使用者が乗る搭乗面と、床面に対面する裏面とを有する板状のトレーナー本体と、前記裏面にストッパ取付け部を設けたガイド溝と前記床面との間に配設されて前記トレーナー本体を床面に対してヨーイング、ピッチング、ローリングの３Ｄの揺動可能に支持するロールバーのフランジ中央部とを備えたことを特徴としたバランストレーナー。
【請求項２】
前記ロールバーの長手方向の中央部の直径と両端部の直径が同一に形成されているとともに、中央部と両端部とはフランジ形状に形成されて、前記ロールバーの長手方向の中央部から両端部にかけてテーパ形状に形成されることを特徴とする請求項１に記載のバランストレーナー。
【請求項３】
前記トレーナー本体の裏面に、床面に対して開口したガイド溝を設けることにより、このガイド溝内に沿った任意の位置に、ロールバーのフランジ中央部を位置決めすることができることを特徴とする請求項１に記載のバランストレーナー。
【請求項４】
前記トレーナー本体のガイド溝内に埋設した前記複数の取付け部のうちの２個が、前記裏面の中央を通る線上において前記中央取付け部を挟んでそれぞれ反対側に配置されている、ことを特徴とする請求項１記載のバランストレーナー。
【請求項５】
前記トレーナー本体のガイド溝内に埋設した前記取付け部は、雌ねじ部を有し、前記雌ねじ部に螺合可能な雄ねじ部を有するストッパを保持するとともに前記床面に対する面がほぼ半円球状に形成されたことを特徴とする請求項１に記載のバランスボード。
【発明の詳細な説明】
【技術分野】
【０００１】本発明は、スポーツのヨーイング、ピッチング、ローリングの３Ｄにかかるバランス感覚を擬似体感し、身体能力の向上と、集中力の向上、及び脳の活性化やリハビリ介護等を目的としたバランストレーニングに使用するバランスレーナーに関する。
【背景技術】
【０００２】従来のバランストレーナー２を図６（ａ），（ｂ），（ｃ）に示す。
この順に上面図，正面図，右側面図である。
これらの図に示すバランストレーナー２は、板状のトレーナー本体１０と、このバランストレーナー２とは別体の丸棒状材５０とによって構成されている。
使用者は、丸棒状材５０を横にして床Ｆ上に置き、その上にトレーナー本体１０を載せて、このトレーナー本体１０ａ上に乗る。
トレーナー本体１０は、丸棒状材５０との接線Ｓ１を基準として上下方向に揺動することができ、さらに丸棒状材５０が図６（ｂ）中の矢印方向（左右方向）に転動することに基づきに丸棒状材５０と床面Ｆとの接線Ｓ２が左右方向に移動するので、使用者は左右方向のバランストレーニングを行うことができる。【０００３】従来のバランストレーナー３を図７（ａ），（ｂ），（ｃ）に示す。
この順に上面図，正面図，右側面図である。
これらの図に示すバランストレーナー３は、板状のトレーナー本体１０と、このトレーナー本体１０を揺動可能に支持する支持部材４０とで構成されている。使用者は、左足Ｌ１と右足Ｌ２とを、上述の線ｍを挟むようにしてトレーナー本体１０の搭乗面１０ａに乗せて立ち上がる。
バランストレーナー３全体は、上述のように、線ｍ近傍を中心として全体が上下方向に揺動することができるので使用者はその揺動動作によってバランストレーニングを行うことができる
【特許文献１】特開２００４−３０５４４２
【発明の開示】
【発明が解決しようとする課題】
【０００４】解決しようとする問題点について、上述のバランストレーナー２，３は、その構成上、使用者の動きの態様が上下方向の揺動と左右方向の移動が比較的単純で画一化されたパターンに限定されてしまうため使用者は、実体環境に即して仮想環境をイメージし体の重心を移動しようとするとその体感とイメージが乖離し満足な結果が得られず目的が有効に達成する事が出来なかった。
さらに、使用者は使用回数を繰り返し習熟することにより、その動きに慣れてしまい、さらなる高度なバランストレーニングに対して興味を失ったりして効果があがらなかったといった問題があった。【０００５】そこで、本発明は、上述の問題を解決し、初心者からトップアスリートまで安全にしかも興味を持ってバランストレーニングを続けることができ、一層のバランストレーニング効果をあげることのできるバランストレーナーを提供することを目的とするものである。
【課題を解決するための手段】
【０００６】請求項１に係る発明は、使用者が乗る搭乗面１０ａと、床面Ｆに対面する裏面１０ｂとを有する板状のトレーナー本体１０と、前記裏面１０ｂのガイド溝１１と前記床面Ｆとの間に配設されて前記トレーナー本体１０を床面Ｆに対してヨーイングＹ、ピッチングＸ、ローリングＺの３Ｄにかかる揺動可能に支持するロールバー２０とを備えたバランストレーナー１において、前記トレーナー本体１０は、前記裏面１０ｂの中央から長手方向の両面にガイド溝１１を形成し、前記裏面１０ｂのガイド溝１１内にそれぞれ異なる位置の複数の取付け部ｈ１〜ｈ５に着脱容易に取り付けられるストッパ３０を有することを特徴とする。【０００７】請求項２に係る発明は、使用者が乗る搭乗面１０ａと、床面Ｆに対面する裏面１０ｂとを有する板状のトレーナー本体１０と、前記裏面１０ｂと前記床面Ｆとの間に配設されて前記トレーナー本体１０をヨーイングＹ、ピッチングＸ、ローリングＺの３Ｄにかかる揺動可能に支持するロールバー２０とを備えたバランストレーナー１において、前記ロールバー２０は、前記トレーナー本体１０とは別体に設けられるとともに、前記トレーナー本体１０と床面Ｆとの間に横たえるようにして使用されるロールバー２０であって、前記ロールバー２０は、長手方向の中央部の直径と両端部の直径が同一に形成されているとともに、前期ロールバーの中央部２０ｂと両端部２０ａとはフランジ形状に形成され、さらに中央部２０ｂから両端部２０ａにかけてテーパ状ｔを形成することを特徴とする。【０００８】請求項３に係る発明は、バランストレーナー本体１０の裏面１０ｂに、ガイド溝１１を設けることにより、このガイド溝１１に沿った任意の位置に、ロールバー２０の中央フランジ形状部２０ｂを位置決めすることができることを特徴とする。【０００９】請求項４に係る発明は、請求項１に記載のバランストレーナー１において、前記複数の取付け部ｈ１〜ｈ５のうちの２個が、前記裏面の中央を通る線上において前記中央取付け部ｈ３を挟んでそれぞれ反対側に配置されている、ことを特徴とする。【００１０】請求項５に係る発明は、請求項１ないし４項に記載のバランストレーナー１において、前記トレーナー本体１０の前記取付け部は、雌ねじ部ｈ１〜ｈ５を有し、前記ストッパーは、前記雌ねじ部ｈ１〜ｈ５に螺合可能な雄ねじ部３０ｃを有することを特徴とする。
【発明の効果】
【００１１】本発明のバランストレーナー１は、使用者が実態環境に合わせて仮想環境をイメージし実行される様々な動きの態様をシュミレーションすることができるので使用者は、初心者からトップアスリートまで興味を持ってトレーニングを続けることができ、かつ一層のトレーニング効果をあげることができる。
さらに、バランス能力の養成や、バランスの良い筋力の強化、集中力アップ、身体の正しい動かし方、精神統一などの効果があり、ビジョントレーニングやメンタルトレーニングそしてリハビリや介護にも応用できる。
【発明の実施形態】
【００１２】以下、図面に沿って、本発明の実施の形態について説明する。
＜実施形態＞
【００１３】本実施の形態は、バランストレーナー本体１０の裏面１０ｂの中央から長手方向の両面にガイド溝１１を形成するとともに、このガイド溝１１に沿った任意の位置に、ロールバー２０の中央フランジ形状部２０ｂが位置決めされ、そのガイド溝１１の長手方向の中央線上に複数の取付け部ｈ１〜ｈ５を設け、そのうちのｈ２、ｈ４の２個の取付け部にストッパ３０を取り付けるようにしたものである。
【００１４】図４、は、本発明に係るバランストレーナーの一例として、実施形態に係るバランストレーナー１を示す。
図４（ａ）は、実施形態の正面図である。
図４（ｂ）は、実施形態の裏面図である。
図４（ｃ）は、実施形態の右側面図である。
図４（ｄ）は、実施形態のバランスレーナー上面がローリングＺの図である。
【００１５】これらの図に示すバランストレーナー１は、板状のバランストレーナー本体１０と、このバランストレーナー本体１０は、ヨーイングＹ、ピッチングＸ、ローリングＺの３Ｄにかかる揺動可能に支持するロールバー２０とを備えている。
【００１６】このうちバランストレーナー本体１０は、板状の部材であり、図１（ａ），（ｂ），（ｃ）に示すように、長方形状に形成されている。バランストレーナー本体１０は、材質としては、例えば木材やＦＲＰによって形成されている。
バランストレーナー本体１０の上面１０ａは、使用者の搭乗面になっており、滑り止め加工が施されている。
バランストレーナー本体１０の裏面１０ｂには、中央から長手方向の両面にガイド溝１１が形成されている。
また、バランストレーナー本体１０の裏面１０ｂには、ガイド溝１１にストッパー２０の取付け部として複数の雌ねじ部ｈ１〜ｈ５が形成されている。
これら雌ねじ部ｈ１〜ｈ５は、バランストレーナー本体１０の裏面１０ｂの長手方向の中心線上に１列で計５個が配置されている。
これら雌ねじ部ｈ１〜ｈ５は、バランストレーナー本体１０の裏面１０ｂのガイド溝１１に埋め込むようにして直接形成している。
これらストッパ３０は、後述の図４に示すようなロールバー２０を使用する際に、このロールバー２０の中央フランジ形状部２０ｂがバランストレーナー本体１０の裏面１０ｂのガイド溝１１から外れないように安全にする為のものである。
【００１７】図５（ａ）は、図４（ａ）の実施形態の正面図のＡ−Ａ線矢視拡大図である。
図５（ｂ）は、図４（ｃ）の実施形態の右測面図のＢ−Ｂ線矢視拡大図である。
これらの図に示すバランストレーナー本体１０は、床面Ｆに対面するバランストレーナー本体１０の裏面１０ｂにガイド溝１１を設け、ロールバー２０の中央フランジ形状部２０ｂが前期ガイド溝１１との接点Ｓ１を支点として接線Ｓ２方向に自由に移動できるように装填され、前期バランストレーナー本体１０はヨーイングＹ、ピッチングＸ、ローリングＺの３Ｄにかかる躍動が可能となる。
図４（ｃ）はＢ−Ｂ線矢視拡大図から、搭乗者の重心移動によりバランストレーナー本体１０の両横側は前記ロールバー２０の中央フランジ形状部２０ｂに対してピッチングＸが可能に構成されている。
さらに、搭乗者が重心位置を移動するとバランストレーナー本体１０の両横端部は前期ロールバー２０の両端フランジ形状部２０ａの内側に収容されるようになっている。
【００１８】ロールバー２０について、図２（ａ）は、ロールバー２０の正面図である。
図２（ｂ）は、ロールバー２０の右測面図である。
前期ロールバー２０の中央部と両端部とはフランジ形状に形成されてる。
ロールバー２０の長手方向の中央フランジ形状部２０ｂの直径と両端フランジ形状部２０ａの直径が同一に形成されているとともに、前記ロールバー２０は、長手方向の中央フランジ形状部２０ｂから両端フランジ形状部２０ａにかけてテーパ形状ｔに形成されている。
【００１９】バランストレーナー本体１０の両横側面部は、ロールバー２０の中央フランジ形状部２０ｂとテーパ形状ｔで形成された両端フランジ形状部２０ａの内側段差に収容されるようになっていることを特徴とする。
【００２０】ストッパ３０について、図３（ａ）は、ストッパ３０上面図である。
図３（ｂ）は、ストッパ３０正面図である。
ストッパ３０は、下方に位置するほぼ半球状の部分（半球部）３０ｂと、同じく上方に位置するほぼ円柱状の部分（円柱部）３０ａとによって構成されている。
雄ねじ部３０ｃは、円柱部３０ａの上端面３１に突設されていて、前述のバランストレーナー本体１０の裏面１０ｂに設けられたガイド溝１１に埋設された雌ねじ部ｈ１〜ｈ５の任意の２箇所に螺合されている。
バランストレーナー本体１０からのストッパ３０の取り外しは、螺合を解除することにより簡単に行うことができる。
ストッパ２０は、材質として、例えば円柱部３０ａは木材を使用し半球部３０ｂを弾力性のあるゴム材によって形成する事も出来る。
【００２１】図４（ｂ）、に示すように、本実施の形態においては、バランストレーナー１本体１０の裏面１０ｂに下方に向けた開口部がガイド溝１１となる。
ガイド溝１１の内面には、滑りやすい加工がされている。
【００２２】このように構成したバランストレーナー１は、図１（ｂ）に示すバランストレーナー本体１０の裏面１０ｂのガイド溝１１に埋設されている取り付け部ｈ１〜ｈ５の任意の２個のストッパ２０を結ぶ線を移動範囲として、前記ガイド溝１１に転動し支持するように設けられたロールバー２０によりバランストレーナー本体１０がヨーイングＹ、ピッチングＸ、ローリングＺの３Ｄにかかる揺動運動をすることが可能となる。
したがって、使用者はバランストレーナー本体１０の搭乗面１０ａに立ち上がり身体の任意の方向に重心を移動するとバランストレーナー１全体は、ロールバー２０の中央フランジ形状部を中心として転動し身体の重心にズレが生じてヨーイングＹ、ピッチングＸ、ローリングＺの３Ｄにかかる揺動運動が可能となるので、使用者はその転動と揺動動作を補正するように身体の重心位置を可変させ身体の平衡を保とうとしてバランストレーニングを行うことができる。
【００２３】本実施の形態では、さらにロールバー２０の中央フランジ形状部２０ｂから両端フランジ形状部２０ａに至るテーパ形状ｔと両端フランジ形状部２０ａとの段差によりバランストレーナー１全体は、より深い横方向の上下揺動が体感できる。
【００２４】バランストレーナー１全体は、ロールバー２０の転動によりの揺動中心の位置を種々に変更することができるので、バランストレーナー１全体の動きの態様を種々のものとすることができる。
例えば、図４（ａ）では、２個のストッパ２０を雌ねじ部ｈ２，ｈ４に取り付けることにより、ロールバー２０の揺動範囲は狭く揺動中心となるが、バランストレーナー１のローリングＺ（Ｚ１、Ｚ２）とピッチングＸ（Ｘ１、Ｘ２）の動きが中心となってバランストレーナー１全体の動作が小幅となり初心者から中級者に適している。
【００２５】２個のストッパ２０を、ｈ１，ｈ５に取り付けた場合、バランストレーナー１全体の動きは、ローリングＺ（Ｚ１、Ｚ２）とピッチングＸ（Ｘ１、Ｘ２）に加えてヨーイングＹ（Ｙ１、Ｙ２）の動きが加わる為斜め前後方向の沈み込むような躍動（Ｘ１、Ｚ１、Ｙ２やＸ１、Ｚ２、Ｙ２等様々な組合せ）が可能となり従って、前後移動が大きくなり揺動中心の位置も種々に変化することから搭乗者の身体の重心位置の移動バランスがとり難く特に斜め傾斜しながら前景又は後景姿勢ができるのでトップアスリート向けに適している。
また、バランストレーナー全体のストッパ２０を全て省略して使用する事も出来る。
この場合、バランストレーナー本体１０とロールバー２０のみとなり、移動や揺動がより大きくなりトップアスリート向けに適している。
【００２６】このように、本実施の形態においては、バランストレーナー本体１０のガイド溝１１とロールバー２０の中央フランジ形状部との接触面において作られるバランストレーナー本体１０のローリングＺ（Ｚ１、Ｚ２、Ｚ’１、Ｚ’２）とピッチングＸ（Ｘ１、Ｘ２）に加えてヨーイングＹ（Ｙ１、Ｙ‘１、Ｙ’２）の動きが加わる為斜め前後方向の沈み込むような躍動（Ｘ１、Ｚ１、Ｙ２やＸ１、Ｚ２、Ｙ２等様々な組合せ）が可能となり３Ｄに掛かる揺動と２個のストッパ２０の取付け位置を、雌ねじ部ｈ１，ｈ２，ｈ４，ｈ５を適宜に選択することにより、ロールバー２０の前後移動の変化や上述のように、それぞれ位置が異なる種々の揺動中心を設定することができそれに対応して、バランストレーナー１の動きの態様をより安全で、変化に富んだものにすることができる。
【図面の簡単な説明】
【００２７】
【図１】（ａ）はバランストレーナーの上面図である。（ｂ）はバランストレーナーの正面図である。（ｃ）はバランストレーナーの下面図である。
【図２】（ａ）はロールバーの正面図である。（ｂ）はロールバーの右側面図である。
【図３】（ａ）はストッパの正面図である。（ｂ）はストッパの上面図である。
【図４】（ａ）は、実施形態の正面図である。（ｂ）は、実施形態の裏面図である。（ｃ）は、実施形態の右測面図である。（ｄ）は、実施形態のバランスボード上面がローリングＺした図である。
【図５】（ａ）は、〔図４〕（ａ）実施形態の正面図のＡ−Ａ線矢視断面拡大図である。（ｂ）は、〔図４〕（ｃ）実施形態の右側面図のＢ−Ｂ線矢視断面拡大図であるである。
【図６】（ａ）は、従来のバランストレーナーの上面図である。（ｂ）は、従来のバランストレーナーの正面図である。（ｃ）は、従来のバランストレーナーの右側面図である。
【図７】（ａ）は、従来のバランストレーナーの上面図である。（ｂ）は、従来のバランストレーナーの正面図である。（ｃ）は、従来のバランストレーナーの右側面図である。
【符号の説明】
【００２８】１，２，３  バランスボード
１０        ボード本体
１０ａ      搭乗面
１０ｂ      裏面
１１        ガイド溝
２０        ロールバー
２０ａ      両端フランジ形状部
２０ｂ      中央フランジ形状部
ｔ          テーパ状部
３０        ストッパ
３０ａ      ストッパ円柱材
３０ｂ      ストッパ半円球材
３０ｃ      雄ねじ部
４０        支持部材
５０        丸棒状材
Ｆ          床面
Ｙ          ヨーイング
Ｘ          ピッチング
Ｚ          ローリング
ｈ１〜ｈ５  取付け部（雌ねじ部）
【図１】
2006326240.tif 000003
【図２】
2006326240.tif 000004
【図３】
2006326240.tif 000005
【図４】
2006326240.tif 000006
2006326240.tif 000007
【図５】
2006326240.tif 000008
【図６】
2006326240.tif 000009
【図７】
2006326240.tif 000010
【手続補正書】
【提出日】平成17年8月16日(2005.8.16)
【手続補正１】
【補正対象書類名】明細書
【補正対象項目名】００２７
【補正方法】変更
【補正の内容】
【００２７】
【図１】（ａ）は、バランストレーナーの上面図である。（ｂ）は、バランストレーナーの正面図である。（ｃ）は、バランストレーナーの下面図である。
【図２】（ａ）は、ロールバーの正面図である。（ｂ）は、ロールバーの右側面図である。
【図３】（ａ）は、ストッパの正面図である。（ｂ）は、ストッパの上面図である。
【図４】（ａ）は、実施形態の正面図である。（ｂ）は、実施形態の裏面図である。
【図５】（ａ）は、実施形態の右測面図である。（ｂ）は、実施形態のバランスボード上面がローリングＺした図である。
2006326240.tif 000011
【図７】（ａ）は、従来のバランストレーナーの上面図である。（ｂ）は、従来のバランストレーナーの正面図である。（ｃ）は、従来のバランストレーナーの右側面図である。
【図８】（ａ）は、従来のバランストレーナーの上面図である。（ｂ）は、従来のバランストレーナーの正面図である。（ｃ）は、従来のバランストレーナーの右側面図である。
【手続補正２】
【補正対象書類名】図面
【補正対象項目名】全図
【補正方法】変更
【補正の内容】
【図１】
2006326240.tif 000012
【図２】
2006326240.tif 000013
【図３】
2006326240.tif 000014
【図４】
2006326240.tif 000015
【図５】
2006326240.tif 000016
【図６】
2006326240.tif 000017
【図７】
2006326240.tif 000018
【図８】
2006326240.tif 000019